【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
所定数の撮像条件を記憶したシーンプログラム記憶手段と、
上記シーンプログラム記憶手段に記憶されている所定数の撮像条件の中から、削除すべき撮像条件を選択する選択手段と、
上記選択手段による選択結果に基づいて、上記シーンプログラム記憶手段により記憶された所定数の撮像条件の中から撮像条件を削除し、空きを確保する削除手段と
を備えたことを特徴とする撮像装置。
【請求項２】
上記撮像条件が撮像に使用された時の使用度合情報を更新記憶する使用度合記憶手段をさらに備え、
上記選択手段は、上記使用度合記憶手段により更新記録された使用度合情報に基づいて、前記削除手段による削除の対象となる撮像条件を選択する
ことを特徴とする請求項１記載の撮像装置。
【請求項３】
上記選択手段による撮像条件の選択を指示するために満たすべき条件を記憶する条件記憶手段と、
上記指示記憶手段により記憶された条件が満たされたか否かを判断する条件判断手段とをさらに備え、
上記選択手段は、上記条件判断手段により条件を満たしたと判断されると、上記シーンプログラム記憶手段に記憶されている所定数の撮像条件の中から、削除すべき条件を満たす撮像条件を選択する
ことを特徴とする請求項１記載の撮像装置。
【請求項４】
上記条件判断手段は、装置本体に対して着脱自在な記録媒体の装置本体に対する装着を上記指定条件として判断することを特徴とする請求項３記載の撮像装置。
【請求項５】
現在位置を取得する位置取得手段と、
上記位置取得手段で取得した現在位置に対する、所定の距離以上の移動又は区分領域の移動を検出する移動検出手段とをさらに備え、
上記条件判断手段は、上記移動検出手段により検出された所定の距離以上の移動又は区分領域の移動を上記指定条件として判断することを特徴とする請求項３記載の撮像装置。
【請求項６】
上記使用度合記憶手段により記憶された撮像条件毎の使用度合が所定の閾値を超えたか否かを判断する閾値判断手段をさらに備え、
上記削除手段は、上記閾値判断手段により撮像条件ごとの使用度合が前記所定の閾値を越えたと判断されると、上記シーンプログラム記憶手段により記憶された所定数の撮像条件の中から撮像条件を削除する
ことを特徴とする請求項２記載の撮像装置。
【請求項７】
上記削除手段により削除された撮像条件に代わって新規の撮像条件を上記シーンプログラム記憶手段に新たに記憶させる記録制御手段をさらに備えたことを特徴とする請求項１記載の撮像装置。
【請求項８】
所定数の撮像条件を記憶したシーンプログラム記憶手段を備えた撮像装置の撮像制御方法であって、
上記シーンプログラム記憶ステップ手段により記憶されている所定数の撮像条件の中から、削除すべき撮像条件を選択する選択ステップと、
上記選択ステップによる選択結果に基づいて、上記シーンプログラム記憶ステップにより記憶された所定数の撮像条件の中から撮像条件を削除する削除ステップと
を含むことを特徴とする撮像制御方法。
【請求項９】
所定数の撮像条件を記憶したシーンプログラム記憶手段を備えた撮像装置のコンピュータを、
上記シーンプログラム記憶手段に記憶されている所定数の撮像条件の中から、削除すべき撮像条件を選択する選択手段、及び
上記選択手段による選択結果に基づいて、上記シーンプログラム記憶手段により記憶された所定数の撮像条件の中から撮像条件を削除する削除手段
として機能させることを特徴とするプログラム。
【手続補正２】
【補正対象書類名】明細書
【補正対象項目名】０００７
【補正方法】変更
【補正の内容】
【０００７】
請求項１記載の発明である撮像装置は、所定数の撮像条件を記憶したシーンプログラム記憶手段と、上記シーンプログラム記憶手段に記憶されている所定数の撮像条件の中から、削除すべき撮像条件を選択する選択手段と、上記選択手段による選択結果に基づいて、上記シーンプログラム記憶手段により記憶された所定数の撮像条件の中から撮像条件を削除し、空きを確保する削除手段とを備えしたことを特徴とする。
【手続補正３】
【補正対象書類名】明細書
【補正対象項目名】０００８
【補正方法】変更
【補正の内容】
【０００８】
請求項２記載の発明は、上記請求項１記載の撮像装置において、上記撮像条件が撮像に使用された時の使用度合情報を更新記憶する使用度合記憶手段をさらに備え、上記選択手段は、上記使用度合記憶手段により更新記録された使用度合情報に基づいて、前記削除手段による削除の対象となる撮像条件を選択することを特徴とする。
【手続補正４】
【補正対象書類名】明細書
【補正対象項目名】０００９
【補正方法】変更
【補正の内容】
【０００９】
請求項３記載の発明は、上記請求項１記載の撮像装置において、上記選択手段による撮像条件の選択を指示するために満たすべき条件を記憶する条件記憶手段と、上記指示記憶手段により記憶された条件が満たされたか否かを判断する条件判断手段とをさらに備え、上記選択手段は、上記条件判断手段により条件を満たしたと判断されると、上記シーンプログラム記憶手段に記憶されている所定数の撮像条件の中から、削除すべき条件を満たす撮像条件を選択することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項４記載の発明は、上記請求項３記載の撮像装置において、上記条件判断手段は、装置本体に対して着脱自在な記録媒体の装置本体に対する装着を上記指定条件として判断することを特徴とする。
【手続補正７】
【補正対象書類名】明細書
【補正対象項目名】００１２
【補正方法】変更
【補正の内容】
【００１２】
請求項５記載の発明は、上記請求項３記載の撮像装置において、現在位置を取得する位置取得手段と、上記位置取得手段で取得した現在位置に対する、所定の距離以上の移動又は区分領域の移動を検出する移動検出手段とをさらに備え、上記条件判断手段は、上記移動検出手段により検出された所定の距離以上の移動又は区分領域の移動を上記指定条件として判断することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項６記載の発明は、上記請求項２記載の撮像装置において、上記使用度合記憶手段により記憶された撮像条件毎の使用度合が所定の閾値を超えたか否かを判断する閾値判断手段をさらに備え、上記削除手段は、上記閾値判断手段により撮像条件ごとの使用度合が前記所定の閾値を越えたと判断されると、上記シーンプログラム記憶手段により記憶された所定数の撮像条件の中から撮像条件を削除することを特徴とする。
【手続補正１４】
【補正対象書類名】明細書
【補正対象項目名】００１９
【補正方法】変更
【補正の内容】
【００１９】
請求項７記載の発明は、上記請求項１記載の撮像装置において、上記削除手段により削除された撮像条件に代わって新規の撮像条件を上記シーンプログラム記憶手段に新たに記憶させる記録制御手段をさらに備えたことを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項８記載の発明は、所定数の撮像条件を記憶したシーンプログラム記憶手段を備えた撮像装置の撮像制御方法であって、上記シーンプログラム記憶ステップ手段により記憶されている所定数の撮像条件の中から、削除すべき撮像条件を選択する選択ステップと、上記選択ステップによる選択結果に基づいて、上記シーンプログラム記憶ステップにより記憶された所定数の撮像条件の中から撮像条件を削除する削除ステップとを含むことを特徴とする。
【手続補正２０】
【補正対象書類名】明細書
【補正対象項目名】００２５
【補正方法】変更
【補正の内容】
【００２５】
請求項９記載の発明は、所定数の撮像条件を記憶したシーンプログラム記憶手段を備えた撮像装置のコンピュータを、上記シーンプログラム記憶手段に記憶されている所定数の撮像条件の中から、削除すべき撮像条件を選択する選択手段、及び上記選択手段による選択結果に基づいて、上記シーンプログラム記憶手段により記憶された所定数の撮像条件の中から撮像条件を削除する削除手段として機能させることを特徴とする。